(57)【特許請求の範囲】
【請求項１】
基台のブラシ面に複数の突起がそれぞれ突設し、
前記各突起を上に向けた状態で前記基台を自立させて載置可能にした頭皮洗浄具であって、
前記基台を構成する基台本体の上面を湾曲凸面に形成すると共に、該上面の一端側より中央にかけて取手部を庇形状に支柱部を介して突設し、該庇形状の取手部の後端部と前記基台本体の上面の他端側に平坦部をそれぞれ形成した頭皮洗浄具。
【請求項２】
請求項１記載の頭皮洗浄具であって、
前記基台本体の上面の他端側の平坦部が該基台本体の上面に直接形成されている頭皮洗浄具。
【請求項３】
請求項１記載の頭皮洗浄具であって、
前記基台本体の上面の他端側に突設部を形成し、前記庇形状の取手部の後端部と前記突設部に平坦部をそれぞれ形成した頭皮洗浄具。
【発明の詳細な説明】
【技術分野】
【０００１】
本発明は、頭皮の地肌や毛穴を洗浄する際に用いる頭皮洗浄具に関する。
【背景技術】
【０００２】
洗髪時に使用する頭皮洗浄用ブラシ（頭皮洗浄具）として種々のものが知られており、例えば、基台のブラシ面に樹脂製で略円錐状の突起を複数配置したもの（特許文献１参照）があり、各突起の先端が頭皮に触れて柔軟に屈曲することで、頭皮の地肌や毛穴を洗浄するものである。
【先行技術文献】
【特許文献】
【０００３】
【特許文献１】実開平６−７７５５３号公報
【発明の概要】
【発明が解決しようとする課題】
【０００４】
しかしながら、前記従来の頭皮洗浄用ブラシでは、略円錐状の突起がその根元部から撓み変形して屈曲し易いため、洗浄時に髪の毛が邪魔をして、突起の先端が頭皮の地肌や毛穴に届き難くなり、毛穴から排出される皮脂を確実に除去して洗浄することが難しかった。
【０００５】
そこで、本発明は、前記した課題を解決すべくなされたものであり、頭皮の毛穴から出る皮脂を確実に除去して地肌及び毛穴を確実に洗浄することができ、かつ載置台上に自立できる頭皮洗浄具を提供することを目的とする。
【課題を解決するための手段】
【０００７】
請求項１の発明は、基台のブラシ面に複数の突起がそれぞれ突設し、前記各突起を上に向けた状態で前記基台を自立させて載置可能にした頭皮洗浄具であって、前記基台を構成する基台本体の上面を湾曲凸面に形成すると共に、該上面の一端側より中央にかけて取手部を庇形状に支柱部を介して突設し、該庇形状の取手部の後端部と前記基台本体の上面の他端側に平坦部をそれぞれ形成した頭皮洗浄具である。
【０００８】
請求項２の発明は、請求項１記載の頭皮洗浄具であって、前記基台本体の上面の他端側の平坦部が該基台本体の上面に直接形成されている頭皮洗浄具である。
【０００９】
請求項３の発明は、請求項１記載の頭皮洗浄具であって、前記基台本体の上面の他端側に突設部を形成し、前記庇形状の取手部の後端部と前記突設部に平坦部をそれぞれ形成した頭皮洗浄具である。
【発明の効果】
【００１０】
以上説明したように、本願発明によれば、基台を構成する基台本体の美的外観を高め、各突起を上側に向けた状態で基台を自立させて、保管時の各突起の変形や損傷を予防できる。
【図面の簡単な説明】
【００１１】
【図１】（ａ）は本発明の実施形態の頭皮洗浄具を示す正面図、（ｂ）は同頭皮洗浄具の底面図である。
【図２】上記頭皮洗浄具の断面図である。
【図３】上記頭皮洗浄具の分解断面図である。
【図４】上記頭皮洗浄具に用いられるエラストマー樹脂から成る底盤の底面図である。
【図５】図４中Ａ−Ａ線に沿う断面図である。
【図６】（ａ）は上記底盤から突出するへら状突起の側面図、（ｂ）は同へら状突起の正面図である。
【図７】（ａ）は図６（ａ）中Ａ−Ａ線に沿う断面図、（ｂ）は図６（ａ）中Ｂ−Ｂ線に沿う断面図、（ｃ）は図６（ａ）中Ｃ−Ｃ線に沿う断面図、（ｄ）は図６（ａ）中Ｄ−Ｄ線に沿う断面図である。
【図８】上記底盤から突出する皮脂掻き出し用の突起の正面図である。
【図９】上記底盤から突出するマッサージ用の突起の正面図である。
【図１０】（ａ）は上記頭皮洗浄具の取手部を説明する正面図、（ｂ）は同頭皮洗浄具を取手部と尻尾部とで自立させた状態を示す説明図、（ｃ）は同取手部の斜視図、（ｄ）は同尻尾部の斜視図である。
【図１１】上記頭皮洗浄具を斜め正面側から見た斜視図である。
【図１２】上記頭皮洗浄具を斜め後側から見た斜視図である。
【図１３】上記頭皮洗浄具の正面図である。
【図１４】上記頭皮洗浄具の平面図である。
【図１５】上記頭皮洗浄具の左側面図である。
【図１６】上記頭皮洗浄具の右側面図である。
【図１７】上記頭皮洗浄具の底面図である。
【図１８】図１７中Ａ−Ａ線に沿う断面図である。
【図１９】上記頭皮洗浄具の取手部を有した基台を斜め正面側から見た斜視図である。
【図２０】上記基台を斜め後側から見た斜視図である。
【図２１】上記基台の正面図である。
【図２２】上記基台の平面図である。
【図２３】上記基台の左側面図である。
【図２４】上記基台の右側面図である。
【図２５】上記基台の底面図である。
【図２６】図２５中Ａ−Ａ線に沿う断面図である。
【図２７】本発明の他の実施形態の頭皮洗浄具を示す正面図である。
【図２８】上記他の実施形態の頭皮洗浄具の取手部を斜め正面側から見た斜視図である。
【図２９】上記取手部を斜め後側から見た斜視図である。
【図３０】上記取手部の正面図である。
【図３１】上記取手部の平面図である。
【図３２】上記取手部の左側面図である。
【図３３】上記取手部の右側面図である。
【図３４】上記取手部の底面図である。
【図３５】実施例１の底盤の斜視図である。
【図３６】比較例１の底盤の斜視図である。
【図３７】比較例２の底盤の斜視図である。
【図３８】比較例３の底盤の斜視図である。
【図３９】上記実施例１のへら状突起（洗浄用の突起）の側面図、平面図、断面図である。
【図４０】上記実施例１の洗浄用の突起に対応する比較例１の洗浄用の突起の側面図、平面図、断面図である。
【図４１】上記実施例１の洗浄用の突起に対応する比較例２の洗浄用の突起の側面図、平面図、断面図である。
【図４２】上記実施例１の洗浄用の突起に対応する比較例３の洗浄用の突起の側面図、平面図、断面図である。
【図４３】上記実施例１及び比較例１の錐体状突起（皮脂掻き出し用の突起）の側面図、平面図、断面図である。
【図４４】上記実施例１及び比較例１の錐体状突起（マッサージ用の突起）の側面図、平面図、断面図である。
【図４５】上記実施例１の皮脂掻き出し用の突起に対応する比較例２の突起の側面図、平面図、断面図である。
【図４６】上記実施例１のマッサージ用の突起に対応する比較例２の突起の側面図、平面図、断面図である。
【図４７】上記実施例１の皮脂掻き出し用の突起に対応する比較例３の突起の側面図、平面図、断面図である。
【図４８】上記実施例１のマッサージ用の突起に対応する比較例３の突起の側面図、平面図、断面図である。
【図４９】上記実施例１の底盤の平面図である。
【図５０】上記実施例１で使用した２種類の高さの錐体状突起（皮脂掻き出し用の突起）の配置を示した底盤の平面図である。
【図５１】上記実施例１で使用した錐体状突起（マッサージ用の突起）の配置を示した底盤の平面図である。
【図５２】上記比較例１の底盤の平面図である。
【図５３】上記比較例１で使用した２種類の高さの錐体状突起（皮脂掻き出し用の突起）の配置を示した底盤の平面図である。
【図５４】上記比較例１で使用した錐体状突起（マッサージ用の突起）の配置を示した底盤の平面図である。
【図５５】上記比較例２の底盤の平面図である。
【図５６】上記比較例２で使用した２種類の高さの錐体状突起（皮脂掻き出し用の突起）の配置を示した底盤の平面図である。
【図５７】上記比較例２で使用した錐体状突起（マッサージ用の突起）の配置を示した底盤の平面図である。
【図５８】上記比較例３の底盤の平面図である。
【図５９】上記比較例３で使用した２種類の高さの錐体状突起（皮脂掻き出し用の突起）の配置を示した底盤の平面図である。
【図６０】上記比較例３で使用した錐体状突起（マッサージ用の突起）の配置を示した底盤の平面図である。
【図６１】上記実施例１と上記比較例１〜３の各評価を表にして比較した説明図である。
【発明を実施するための形態】
【００１２】
以下、本発明の実施形態を図面に基づいて説明する。
【００１３】
図１（ａ）は本発明の実施形態の頭皮洗浄具を示す正面図、図１（ｂ）は同頭皮洗浄具の底面図、図２は同頭皮洗浄具の断面図、図３は同頭皮洗浄具の分解断面図、図４は同頭皮洗浄具に用いられるエラストマー樹脂から成る底盤の底面図、図５は図４中Ａ−Ａ線に沿う断面図、図６（ａ）は同底盤から突出するへら状突起の側面図、図６（ｂ）は同へら状突起の正面図、図７（ａ）は図６（ａ）中Ａ−Ａ線に沿う断面図、図７（ｂ）は図６（ａ）中Ｂ−Ｂ線に沿う断面図、図７（ｃ）は図６（ａ）中Ｃ−Ｃ線に沿う断面図、図７（ｄ）は図６（ａ）中Ｄ−Ｄ線に沿う断面図、図８は同底盤から突出する皮脂掻き出し用の突起の正面図、図９は同底盤から突出するマッサージ用の突起の正面図、図１０（ａ）は同頭皮洗浄具の取手部を説明する正面図、図１０（ｂ）は同取手部２２と尻尾部２３とで自立させた状態を示す説明図、図１０（ｃ）は同取手部２２の斜視図、図１０（ｄ）は同尻尾部２３の斜視図である。
【００１４】
また、図１１は頭皮洗浄具を斜め正面側から見た斜視図、図１２は頭皮洗浄具を斜め後側から見た斜視図、図１３は頭皮洗浄具の正面図、図１４は頭皮洗浄具の平面図、図１５は頭皮洗浄具の左側面図、図１６は頭皮洗浄具の右側面図、図１７は頭皮洗浄具の底面図、図１８は図１７中Ａ−Ａ線に沿う断面図である。
【００１５】
図１〜図３に示すように、頭皮洗浄具としての頭皮洗浄用ブラシ１０は、取手部２２を有する基台１１のブラシ面３０ａに、エラストマー樹脂からなる異なる形状の洗浄用の突起（本実施形態ではへら状突起）４１と２種類の錐体状突起（皮脂掻き出し用の突起とマッサージ用の突起）４５，４６とをそれぞれ複数突設することによって構成されており、例えば、洗髪や毛髪の手入れを行う際に、取手部２２の支柱部２１を指の間に挟み込み、ブラシ面３０ａとは反対側の基台１１の上面２０ａに手の平を密着させて、当該上面２０ａを覆うようにしながら頭皮洗浄用ブラシ１０を把持し、ブラシ面３０ａに突設した複数のへら状突起４１と２種類の錐体状突起４５，４６の先端を頭皮に押し当てた状態で、毛髪を掻き分けるようにしつつブラシ１０を動かすことにより、必要に応じて頭皮や毛髪に塗布した洗浄剤、ヘアケア剤、化粧料等の作用と相俟って、皮脂の除去や毛穴の洗浄を効率良く行えるようにすると共に、優れたマッサージ効果が得られるようにするものである。ここで、本実施形態では、前記支柱部２１は、側面視で薄い壁体をなし、正面視で基台１１の上面２０ａの長手方向一端側（図１において左端側）から中央部にかけて長く続く広幅部の面として偏心配置されている。支柱部２１を当該形状とすることにより、前記支柱部２１を指の間に挟み込み、基台１１の上面２０ａに手の平を密着させて、当該上面２０ａを覆うようにしながら、頭皮洗浄用ブラシ１０を把持しやすくなる。
【００１６】
尚、本願明細書では、洗浄用の突起（本実施形態ではへら状突起）４１と２種類の錐体状突起（皮脂掻き出し用の突起とマッサージ用の突起）４５，４６を単に突起と称する場合がある。
【００１７】
図２，図３に示すように、基台１１は、取手部２２を有する合成樹脂製の基台本体２０と、この基台本体２０の底面側に形成された装着開口（開口）２５内に装着される合成樹脂製の基板３０とで構成されている。そして、この基台本体２０と基板３０との間にへら状突起４１と２種類の錐体状突起４５，４６を一体突出形成したエラストマー樹脂から成る底盤４０を挟持すると共に、該基板３０に形成された複数の挿通孔３１，３５，３６に各突起４１，４５，４６の根元部４１ｂ，４５ｂ，４６ｂを挿通させて該基板３０の底面（ブラシ面）３０ａより該各突起４１，４５，４６を外側に突出させるようにしてある。
【００１８】
尚、本実施形態では、基台本体２０の底面側に形成された装着開口２５内に基板３０が装着された際には、基板３０の下面（ブラシ面）３０ａと各突起４１，４５，４６の根元部と中途部との境界（横断面円形）とは面一となっている。また、ブラシ面３０ａの各挿通孔３１，３５，３６の径は、各突起４１，４５，４６の根元部と中途部との境界の直径よりも２ｍｍ程度大きく形成されている。
【００１９】
図１〜図３及び図１０に示すように、基台本体２０は、その上面２０ａが滑らかな湾曲凸面となっていると共に、底面側が楕円形状の装着開口２５として開口しており、例えば、長軸の長さが８０ｍｍ程度、短軸の長さが６０ｍｍ程度の楕円平面形状となっている。
【００２０】
そして、基台本体２０の上面２０ａには、その一端側（図中左端側）より中央部にかけて支柱部２１を介して動物（例えば、ウサギ）の左右の耳形状（例えば、略Ｔ字型断面の一対の湾曲した楔形）に形成された取手部２２を一体突出形成してある。また、基台本体２０の上面２０ａの他端側（図中右端側）には、動物（例えば、ウサギ）の尻尾形状をした尻尾部２３を一体突出形成してある。ここで、各突起４１，４５，４６を上にして頭皮洗浄用ブラシ１０を載置台Ｄ上に自立させやすくする観点から、基台本体２０の取手部２２の後端部側に平坦部２２ａを、尻尾部２３に平坦部２３ａを設けることが好ましい。当該各平坦部２２ａ，２３ａにより、図１０（ｂ）に示すように、基台本体２０のブラシ面３０ａより突出した各突起４１，４５，４６を上にして頭皮洗浄用ブラシ１０を載置台Ｄ上に自立させた時に、基台本体２０の取手部２２の後端部側の平坦部２２ａと尻尾部２３の平坦部２３ａが載置台Ｄ等に安定した状態で接地することができる。
【００２１】
さらに、図１０（ａ）に示すように、基台本体２０の上面２０ａから取手部２２の後端部までの高さは所定の高さ（例えば、２６．８ｍｍ）に形成してある。また、基台本体２０の取手部２２を支持する支柱部２１は所定の幅（例えば、５ｍｍ）に形成されている。さらに、支柱部２１の後端部２１ａは尻尾部２３側に所定角θ（例えば、θ＝５°）傾いており、取手部２２に指の股部分が入り過ぎないようになっている。
【００２２】
図２，図３に示すように、基台本体２０の装着開口２５には、底盤４０と基板３０を重ね合わせて嵌め込み係止する係止凹溝２６をその内周に全周に亘って形成してある。そして、底盤４０は係止凹溝２６の上側の周縁段差部２６ａと基台本体２０の下面から垂下する支持片２７に支持されていると共に、基板３０は係止凹溝２６の下側の係止縁部２６ｂに係止されている。これにより、へら状突起４１と２種類の錐体状突起４５，４６を一体突出形成したエラストマー樹脂から成る底盤４０は、基台本体２０の周縁段差部２６ａ及び支持片２７と基板３０との間に挟持されて固定されるようになっている。
【００２３】
図１〜図３に示すように、基板３０は、基台本体２０の装着開口２５と同形の楕円形状に形成されており、その突状に形成された周端面３０ｂを基台本体２０の係止凹溝２６に嵌め込み係止することにより、基台本体２０に一体となって係止されるようになっている。また、基板３０の下面３０ａは基台１１の底面となってブラシ面を形成している。さらに、基板３０の後述するへら状突起４１と２種類の錐体状突起４５，４６の配置位置に対応する位置には、各突起４１，４５，４６を挿通させる円形の挿通孔３１，３５，３６をそれぞれ形成してある。
【００２４】
図１〜図１０に示すように、エラストマー樹脂から成る底盤４０の底面４０ａには、へら状突起４１と２種類の錐体状突起４５，４６を一体突出形成してある。図４〜図７に示すように、へら状突起４１は、その根元部４１ｂを横断面円形に形成してあると共に、該根元部４１ｂ側から中途部４１ａ側（先端面４１ｃ側）にかけて横断面円形から横断面楕円形状（扁平な横断面形状）になるように一体形成してある。本実施形態では、根元部４１ｂと中途部４１ａの境界（図６のＢ−Ｂ線部）から中途部４１ａの先端面４１ｃにかけて横断面円形から横断面楕円形状になるように形成してある。ここで、本願明細書で楕円形状とは、曲線のみで構成される一般的な楕円形の他、直線と曲線で構成される長円形（陸上競技用トラック形状）も含んでいる。例えば、図７（ｃ）は長円形を示している。この横断面楕円形状の中途部４１ａの先端面４１ｃには、先端４２ａが曲面状に面取りされた一対の先端突起４２，４２を略円錐状に形成してある。図４に示すように、へら状突起４１は、底盤４０の底面４０ａ（基台１１のブラシ面３０ａ）の長手方向に対して、ブラシ面３０ａの中央から左右両側（図４において上下両側）にかけて（基台１１の外周方向にかけて）、複数かつ並列（例えば、一直線上に所定の間隔を隔てて３本と７本と３本の３列）にそれぞれ一体突出形成してある。また、図３及び図５に示すように、各列の内側に位置するへら状突起４１の各先端突起４２の先端４２ａの高さ（例えば、ブラシ面３０ａより１７ｍｍ）よりも外側に位置するへら状突起４１の各先端突起４２の先端４２ａの高さ（例えば、ブラシ面３０ａより２１ｍｍ）の方が高くなるように配設してある。尚、図７（ａ）に示すへら状突起４１の根元部４１ｂの直径は、例えば、７．２ｍｍに設定され、また、図７（ｂ）に示す根元部４１ｂの直径は、例えば、６．５ｍｍに設定されている。
【００２５】
また、図４，図５に示すように、各列の複数のへら状突起４１の間には、皮脂掻き出し用の錐体状突起４５とマッサージ用の錐体状突起４６を交互に複数配置してある。図８に示すように、皮脂掻き出し用の錐体状突起４５は、先端４５ａが曲面状に面取りされた略円錐状に形成してある。図９に示すように、マッサージ用の錐体状突起４６は、先端４６ａが曲面状に面取りされた略円錐状に形成してある。そして、皮脂掻き出し用の錐体状突起４５の先端４５ａの曲面形状とへら状突起４１の各先端突起４２の先端４２ａの曲面形状は同径の小径（例えば、半径０．６ｍｍ）に形成してあり、マッサージ用の錐体状突起４６の先端４６ａの曲面形状は皮脂掻き出し用の錐体状突起４５の先端４５ａの曲面形状よりも太径（例えば、半径１．２ｍｍ）に形成してある。さらに、図４に示すように、へら状突起４１の各先端突起４２の先端４２ａと皮脂掻き出し用の錐体状突起４５の先端４５ａとマッサージ用の錐体状突起４６の先端４６ａは、へら状突起４１の横断面楕円形の中途部４１ａの長軸方向Ｘに沿って略同一線上にそれぞれ配設されている。
【００２６】
尚、へら状突起４１の根元部４１ｂと皮脂掻き出し用の錐体状突起４５の根元部４５ｂとマッサージ用の錐体状突起４６の根元部４６ｂの直径は同径に形成されている。また、本実施形態では、底盤４０と各突起４１，４５，４６はエラストマー樹脂により一体成形した樹脂成形品を用いた。エラストマー（ｅｌａｓｔｏｍｅｒ）樹脂とは、ゴム状の弾力性を有する樹脂の総称であり、例えば、オレフィン系エラストマー、スチレン系エラストマー、ポリエステル系エラストマー、ウレタン系エラストマー、アクリル系エラストマー等がある。本実施形態では、スチレン形エラストマーを用いた。スチレン形エラストマーは透明性がよく、頭皮洗浄用ブラシ１０を商品化した場合に見栄えが良くなる他、頭皮に対して良好な洗浄性能やマッサージ性能を得ることができる。尚、各突起４１，４５，４６の形状、寸法等を決定するために、３次元ＣＡＤデーターを使用したＲＰ（Ｒａｐｉｄ  Ｐｒｏｔｏｔｙｐｉｎｇ）装置を使用して頭皮洗浄用ブラシ１０を試作して、洗浄効果やマッサージ効果を評価することができる。ＲＰ装置は光造形技術を使用した装置であり、成形金型を不要とし３次元ＣＡＤデーターがあれば短期間で試作品の作製が可能となる。かかる場合には、例えばＲＰ装置用のアクリル系エラストマーを使用することができる。当該エラストマーにはゴムライク樹脂が含まれ、本発明の頭皮洗浄用ブラシ１０の試作品の性能評価に充分使用することができる。
【００２７】
以上実施形態の頭皮洗浄用ブラシ１０によれば、へら状突起４１の根元部４１ｂを横断面円形に形成すると共に、該根元部４１ｂ側から中途部４１ａ側（先端面４１ｃ側）にかけて横断面円形から横断面楕円形になるように形成し、この横断面楕円形の中途部４１ａの先端面４１ｃに先端４２ａが曲面状に面取りされた一対の先端突起４２，４２を錐体状に形成したことにより、へら状突起４１がその根元部４１ｂから撓み変形して屈曲し難いため、洗浄時に髪の毛が邪魔になっても、へら状突起４１の一対の先端突起４２，４２が頭皮の地肌や毛穴に確実に届いて、一対の先端突起４２，４２の撓み変形によりその各先端４２ａで毛穴から排出される皮脂を確実に除去して毛穴及び地肌を確実に洗浄することができる。
【００２８】
また、基台１１のブラシ面３０ａの中央から両側（外周方向側）にかけてへら状突起４１を複数かつ並列に所定の間隔を隔ててそれぞれ突設すると共に、該各列の内側に位置するへら状突起４１の一対の先端突起４２，４２の高さよりも外側に位置するへら状突起４１の一対の先端突起４２，４２の高さの方が高くなるように各先端４２ａの位置を円弧線上に配置したことにより、頭皮の湾曲した地肌に沿って全てのへら状突起４１の一対の先端突起４２，４２の各先端４２ａを確実かつ簡単に押し当てて、皮脂の除去や毛穴の洗浄を効率良く行うことができる。
【００２９】
また、各列のへら状突起４１，４１の間に皮脂掻き出し用の錐体状突起４５とマッサージ用の錐体状突起４６を交互に複数配置したことにより、皮脂の除去や毛穴の洗浄を効率良く行うことができると共に、頭皮のマッサージも効率良く行うことができる。
【００３０】
さらに、基台１１を、取手部２２を有する合成樹脂製の基台本体２０と、この基台本体２０の底面側に形成された装着開口２５内に装着される合成樹脂製の基板３０とで構成し、各突起４１，４５，４６をエラストマー樹脂から成る底盤４０にそれぞれ一体突出形成し、基台本体２０と基板３０との間に底盤４０を挟持すると共に、該基板３０に形成された複数の挿通孔３１，３５，３６に各突起４１，４５，４６の根元部４１ｂ，４５ｂ，４６ｂを挿通させて該基板３０の下面３０ａより該各突起４１，４５，４６を外側に突出させたことにより、頭皮洗浄用ブラシ１０を構成する部品点数を可及的に減らすことができるため、全体の構造を簡素化することができると共に、低コスト化を図ることができるとともに、装着開口２５内に水分やゴミ等の浸入を防ぐことができ、本発明の頭皮洗浄用ブラシ１０を清潔に使用することができる。
【００３１】
さらに、基台本体２０の上面２０ａを湾曲凸面に形成すると共に、該上面２０ａの一端側より中央部にかけて取手部２２を動物の左右の耳形状にし、板状の支柱部２１を介して一体突出形成し、また、基台本体２０の上面２０ａの他端側に動物の尻尾形状をした尻尾部２３を一体突出形成し、これら耳形状の取手部２２の後端部と尻尾部２３に平坦部２２ａ，２３ａをそれぞれ形成したことにより、基台本体２０の美的外観を高めることができる。併せて、平坦部２２ａ，２３ａで支持部として機能させることができるので、各突起４１，４５，４６を上に向けた状態で基台１１を自立させて載置台Ｄ等に載置することができる（図１０（ｂ）参照）。このように、平坦部（支持部）２２ａ，２３ａを、基台本体２０の上面２０ａの側に設けたことで、ブラシ面３０ａを上にして保管することができ、各突起４１，４５，４６の先端４２ａ，４５ａ，４６ａの変形や損傷を予防できる。
【００３２】
図１９は頭皮洗浄具としての頭皮洗浄用ブラシの取手部を有した基台を斜め正面側から見た斜視図、図２０は基台を斜め後側から見た斜視図、図２１は基台の正面図、図２２は基台の平面図、図２３は基台の左側面図、図２４は基台の右側面図、図２５は基台の底面図、図２６は図２５中Ａ−Ａ線に沿う断面図である。実線で表した部分が、部分意匠として意匠登録を受けようとする部分である。
【００３３】
基台１１の上側となる基台本体２０は、その上面２０ａを湾曲凸面に形成すると共に、該上面２０ａの一端側より中央にかけて取手部２２をウサギの左右の耳形状に支柱部２１を介して一体突出形成し、さらに、基台本体２０の上面２０ａの他端側にウサギの尻尾形状をした尻尾部２３を一体突出形成し、ウサギの両耳形状の取手部２２の後端部とウサギの尻尾形状をした尻尾部２３に平坦部２２ａ，２３ａをそれぞれ形成したことにより、基台本体２０の美的外観を高めることができ、また、各突起４１，４５，４６を上に向けた状態で基台１１を自立させて載置台Ｄ等に載置することができて使い勝手が非常に良い。すなわち、各突起４１，４５，４６を上に向けた状態で本発明の頭皮洗浄用ブラシ１０を載置台Ｄ等上に保管することができるため、保管中の各突起の変形を防止でき、また各突起を水でゆすいだ後に乾燥しやすくすることができる。
【００３４】
図２７は本発明の他の実施形態の頭皮洗浄具としての頭皮洗浄用ブラシを示す正面図、図２８は同頭皮洗浄用ブラシの取手部を斜め正面側から見た斜視図、図２９は取手部を斜め後側から見た斜視図、図３０は取手部の正面図、図３１は取手部の平面図、図３２は取手部の左側面図、図３３は取手部の右側面図、図３４は取手部の底面図である。実線で表した部分が、部分意匠として意匠登録を受けようとする部分である。また、一点鎖線は、部分意匠として意匠登録を受けようとする部分とその他の部分との境界のみを示す線である。さらに、図２８及び図２９において、表面に表れた格子状の細線は、立体表面の形状を示すものである。
【００３５】
この他の実施形態の頭皮洗浄具としての頭皮洗浄用ブラシ１０′では、基台本体２０の上面２０ａの一端側より中央部にかけて取手部２２をウサギの左右の耳形状に支柱部２１を介して一体突出形成してあるが、基台本体２０の上面２０ａの他端側にウサギの尻尾形状をした尻尾部２３を一体突出形成していないものである。
【００３６】
この取手部２２はウサギの左右の耳形状に形成されているため、美的外観に優れていると共に、非常に把持し易くなっている。
【００３７】
尚、本発明は上記実施形態に限定されることなく種々の変更が可能である。
【００３８】
例えば、前記各実施形態によれば、取手部をウサギ等の動物形状に形成したが、動物形状に限られるものではなく、支柱部２１を挟んだ指を上から支えるため、左右に広がった庇（ひさし）形状でよく、動物形状は庇形状の一形態である。本願明細書では庇形状とは支柱部２１の上端に、側面視して左右方向（支柱部の厚み方向）に当該支柱部２１から張り出す部分を有する形状のことである。また、基台本体２０の上面２０ａの他端側に形成された尻尾部２３は、動物の尻尾形状に限られるものではなく、凸部形状(例えば略半球形状、お椀状)の突設部２３でよく、動物の尻尾形状は凸部形状の一形態である。また、前記実施形態では、尻尾部２３（突設部２３）に平坦部２３aを形成したが、基台本体２０の上面２０ａの他端側に直接平坦部を形成しても良い。さらに、前記実施形態では平坦部を取手部の後端部と尻尾部２３（突設部２３）に各１箇所ずつ形成したが、各々複数個所形成しても良い。さらに、該平坦部は突起を上に向けた状態で基台１１を自立させて載置台Ｄ等に載置させる為のものでもあるが、突起は前記実施形態の突起４１，４５，４６に限定されるものではなく、その他の形状の突起でも良い。また、へら状突起は、先端側に一対の先端突起を突設したが、３つ以上の先端突起を突設するようにしても良い。さらに、基板３０及び基台本体２０の装着開口２５は楕円形状に限られるものではなく、円形状等の他形状でも良い。また、図７（ａ）に示すへら状突起４１の根元部４１ｂの直径と図７（ｂ）に示す根元部４１ｂの直径は、同じに設定されてもよい。
【００３９】
また、上述した一の実施形態における説明省略部分及び一の実施形態のみが有する要件は、それぞれ他の実施形態に適宜適用することができ、また、各実施形態における要件は、適宜、実施形態間で相互に置換可能である。
【００４０】
以下、本発明を実施例によりさらに説明する。
【００４１】
〔実施例１〕
下記仕様の頭皮洗浄用ブラシを使用し下記の内容で実際に洗髪を行い、官能評価による当該頭皮洗浄用ブラシの評価を行った。
【００４２】
<頭皮洗浄用ブラシ仕様>
１．底盤
図３５に示す底盤を使用した。図３５は底盤４０の斜視図である。底盤４０の最大長径は８０．８ｍｍ、最大短径は６０．８ｍｍである。その比較例１を図３６に、比較例２を図３７に、比較例３を図３８に、それぞれ示す。
【００４３】
底盤４０はＯｂｊｅｔ  Ｇｅｏｍｅｔｒｉｅｓ  Ｌｔｄ.（Ｉｓｒａｅｌ）のＲＰ（Ｒａｐｉｄ  Ｐｒｏｔｏｔｙｐｉｎｇ）装置（ＥＤＥＮ３５０Ｖ）を使用して製作した。材質はアクリル系エラストマー（Ｔａｎｇｏ  Ｇｒａｙ  Ｆｕｌｌ  Ｃｕｒｅ  ９５０、ショア反発硬度率はＡＳＴＭ  Ｄ−２２４０  の評価基準で７５％(カタログ値)）を使用した。当該底盤４０からへら状突起４１と２種類の錐体状突起４５，４６が底盤４０と同じ材料で一体突出形成されている。
【００４４】
２．へら状突起（洗浄用の突起）
図３９に示す突起を使用した。図３９は底盤４０から突出するへら状突起４１の側面図、平面図及び断面図である。当該突起の根元部(高さ４．５ｍｍ)の横断面は円形に形成されており、該根元部側から中途部側にかけて横断面円形から扁平な横断面形状(長円形状)になるように形成されている。なお、図３及び図５と同様に本実施例においても、各列の内側に位置するへら状突起４１の各先端突起の先端の高さA（ブラシ面より１７ｍｍ）よりも外側に位置するへら状突起４１の各先端突起の先端の高さA（ブラシ面より２１ｍｍ）の方が高くなるように配設してある。図４９は本実施例１の底盤４０の平面図であり、へら状突起４１の各先端突起の先端の高さAの最も低い突起（図４９のMIN）と最も高い突起（図４９のMAX）の配置を示している。その他のへら状突起４１の各先端突起の先端の高さAは、各先端の位置を円弧線上に配置されるように、前記MIN値（ブラシ面より１７ｍｍ）とMAX値（ブラシ面より２１ｍｍ）の中間値を適宜採用している。
【００４５】
３．錐体状突起（皮脂掻き出し用の突起）
図４３に示す円錐形状突起を使用した。図４３は皮脂掻き出し用の突起４５の正面図、平面図及び断面図である。ブラシ面から当該突起先端までの高さＣは、１９．７mm、１７．６mmの２種類のものを使用した。図５０は底盤４０の平面図であり、２種類の高さの当該突起の配置を示している。
【００４６】
４．錐体状突起（マッサージ用の突起）
図４４に示す円錐形状突起を使用した。図４４はマッサージ用の突起４６の正面図、平面図及び断面図である。ブラシ面から当該突起先端までの高さは１８．２ｍｍのものを使用した。図５１は底盤の平面図であり、当該突起の配置を示している。
【００４７】
<評価者>
３０歳代の女性、５人
<使用シャンプー剤>
花王株式会社  アジエンスインナーリッチシャンプー
<洗髪方法>
１．髪全体をお湯でよく濡らす。
２．上記シャンプー剤を適量髪につけ、指で充分泡立てる。
３．当該ブラシを頭皮にあてて、左右に小刻みに動かして頭皮全体を洗う。
４．お湯でシャンプー剤を充分に洗い流す。
<評価方法>
評価１：頭皮洗浄用ブラシの動かしやすさ
最高点を「１０点：動かしやすい」、最低点「１点：動かしにくい」として、１０段階評価を行なった。
評価２：突起の頭皮への届きやすさ
最高点を「１０点：頭皮へ突起が充分に届いている感じがする」、最低点「１点：頭皮へ突起が殆ど届いていない感じがする」として、１０段階評価を行なった。
評価３：洗浄性
最高点を「１０点：毛穴まできれいに洗うことができた感じがする。」、最低点「１点：きれいに洗うことができた感じが、全くしない」として、１０段階評価を行なった。
評価４：マッサージ性
最高点を「１０点：頭皮の血行が良くなった感じがする。」、最低点「１点：マッサージした感じが、全くしない」として、１０段階評価を行なった。
評価５：洗浄中の頭皮の感じ
最高点を「１０点：心地良い感じがして好きである。」、最低点「１点：突起が痛い又は硬い感じがして不愉快である」として、１０段階評価を行なった。
評価６：髪の毛の絡まりやすさ
最高点を「１０点：絡まりが全く無かった。」、最低点「１点：絡まりがひどく、洗髪が困難であった。
【００４８】
<評価結果>
図６１の表１に示すように、本実施例１で使用した頭皮洗浄用ブラシ１０の平均評価は９．１点（１０点満点）となった。
【００４９】
〔比較例１〕
図３６の底盤、図４０の洗浄用の突起以外は実施例１と同様の頭皮洗浄用ブラシを使用し、評価を行なった。なお底盤の材質及び最大長径、最大短径は実施例１と同じである。
【００５０】
洗浄用の突起は図４０に示す突起を使用した。当該突起の根元部(高さ４．５ｍｍ)の横断面は円形に形成されており、該根元部側から中途部側にかけて、そして先端側にかけても横断面円形になるように形成されている。従って、根元部と中途部との境界から先端にかけて当該突起は円錐形状となっている。なお、実施例１と同様に本比較例においても、各列の内側に位置する洗浄用の突起の先端の高さ（ブラシ面より１７ｍｍ）よりも外側に位置する洗浄用突起の先端の高さ（ブラシ面より２１ｍｍ）の方が高くなるように配設してある。最も低い突起MINと最も高い突起MAXの配設は実施例１と同様である(図５２参照)。その他の洗浄用突起の先端の高さAは、各先端の位置を円弧線上に配置されるように、前記MIN値（ブラシ面より１７ｍｍ）とMAX値（ブラシ面より２１ｍｍ）の中間値を適宜採用している。また、皮脂掻き出し用の突起及びマッサージ用の突起も実施例１と同じものを使用し(図４３、図４４参照)、それぞれの突起の配置も実施例１と同様である(図５３、図５４参照)。
【００５１】
<評価結果>
図６１の表１に示すように、本比較例１で使用した頭皮洗浄用ブラシの平均評価は６．９点（１０点満点）となった。
【００５２】
〔比較例２〕
図３７の底盤、図４１の洗浄用の突起、図４５の皮脂掻き出し用の突起及び図４６のマッサージ用の突起以外は実施例１と同様の頭皮洗浄用ブラシを使用し、評価を行なった。なお、底盤の材質及び最大長径、最大短径は実施例１と同じである。
【００５３】
洗浄用の突起は図４１に示す突起を使用した。当該突起の根元部(高さ４．５ｍｍ)の横断面は正方形に形成されており、該根元部側から中途部側にかけて横断面正方形から扁平な横断面形状(長円形状)になるように形成されている。なお、実施例１と同様に本比較例においても、各列の内側に位置する洗浄用の突起の各先端突起の先端の高さ（ブラシ面より１７ｍｍ）よりも外側に位置する洗浄用突起の各先端突起の先端の高さ（ブラシ面より２１ｍｍ）の方が高くなるように配設してある。最も低い突起と最も高い突起の配設は実施例１と同様である(図５５参照)。また、皮脂掻き出し用の突起は図４５に示す先端が曲面状に面取りされた四角錐形状のものを使用し（ブラシ面から当該突起先端までの高さＣは、実施例１と同様に１９．７mm、１７．６mmの２種類のものを使用した）、マッサージ用の突起は図４６に示す先端が曲面状に面取りされた四角錐形状のものを使用した。それぞれの突起の配置も実施例１と同様である(図５６、図５７参照)。
【００５４】
<評価結果>
図６１の表１に示すように、本比較例２で使用した頭皮洗浄用ブラシの平均評価は４．３点（１０点満点）となった。
【００５５】
〔比較例３〕
図３８の底盤、図４２の洗浄用突起、図４７の皮脂掻き出し用の突起及び図４８のマッサージ用の突起以外は実施例１と同様の頭皮洗浄用ブラシを使用し、評価を行なった。なお底盤の材質及び最大長径、最大短径は実施例１と同じである。
【００５６】
洗浄用の突起は図４２に示す突起を使用した。当該突起の根元部(高さ４．５ｍｍ)の横断面は正六角形に形成されており、該根元部側から中途部側にかけて横断面正六角形から扁平な横断面形状(長円形状)になるように形成されている。なお、実施例１と同様に本比較例においても、各列の内側に位置する洗浄用の突起の各先端突起の先端の高さ（ブラシ面より１７ｍｍ）よりも外側に位置する洗浄用突起の各先端突起の先端の高さ（ブラシ面より２１ｍｍ）の方が高くなるように配設してある。最も低い突起と最も高い突起の配設は実施例１と同様である(図５８参照)。また、皮脂掻き出し用の突起は図４７に示す先端が曲面状に面取りされた六角錐形状のものを使用し（ブラシ面から当該突起先端までの高さＣは、１９．７mm、１７．６mmの２種類のものを使用した）、マッサージ用の突起は図４８に示す先端が曲面状に面取りされた六角錐形状のものを使用した。それぞれの突起の配置も実施例１と同様である(図５９、図６０参照)。
【００５７】
<評価結果>
図６１の表１に示すように、本比較例３で使用した頭皮洗浄用ブラシの平均評価は６．５点（１０点満点）となった。
【００５８】
図６１の表１に示すように、根元部側から中途部側にかけて横断面円形から扁平な横断面形状(長円形状)になるように形成されている実施例１の洗浄用の突起４１を使用した頭皮洗浄用ブラシ１０の評価が最も高い結果となった。
【符号の説明】
【００５９】
１０，１０′  頭皮洗浄用ブラシ（頭皮洗浄具）
１１  基台
２０  基台本体
２０ａ  上面
２１  支柱部
２２  取手部
２２ａ  平坦部
２３  尻尾部（突設部）
２３ａ  平坦部
２５  装着開口（開口）
３０  基板
３０ａ  下面（ブラシ面）
３１，３５，３６  挿通孔
４０  底盤
４１  へら状突起（洗浄用の突起）
４１ａ  中途部
４１ｂ  根元部
４１ｃ  先端面
４２，４２  一対の先端突起
４２ａ  先端
４５  錐体状突起（皮脂掻き出し用の突起）
４５ａ  先端
４５ｂ  根元部
４６  錐体状突起（マッサージ用の突起）
４６ａ  先端
４６ｂ  根元部
【図１】
0005588421.tif 000002
【図２】
0005588421.tif 000003
【図３】
0005588421.tif 000004
【図４】
0005588421.tif 000005
【図５】
0005588421.tif 000006
【図６】
0005588421.tif 000007
【図７】
0005588421.tif 000008
【図８】
0005588421.tif 000009
【図９】
0005588421.tif 000010
【図１０】
0005588421.tif 000011
【図１１】
0005588421.tif 000012
【図１２】
0005588421.tif 000013
【図１３】
0005588421.tif 000014
【図１４】
0005588421.tif 000015
【図１５】
0005588421.tif 000016
【図１６】
0005588421.tif 000017
【図１７】
0005588421.tif 000018
【図１８】
0005588421.tif 000019
【図１９】
0005588421.tif 000020
【図２０】
0005588421.tif 000021
【図２１】
0005588421.tif 000022
【図２２】
0005588421.tif 000023
【図２３】
0005588421.tif 000024
【図２４】
0005588421.tif 000025
【図２５】
0005588421.tif 000026
【図２６】
0005588421.tif 000027
【図２７】
0005588421.tif 000028
【図２８】
0005588421.tif 000029
【図２９】
0005588421.tif 000030
【図３０】
0005588421.tif 000031
【図３１】
0005588421.tif 000032
【図３２】
0005588421.tif 000033
【図３３】
0005588421.tif 000034
【図３４】
0005588421.tif 000035
【図３５】
0005588421.tif 000036
【図３６】
0005588421.tif 000037
【図３７】
0005588421.tif 000038
【図３８】
0005588421.tif 000039
【図３９】
0005588421.tif 000040
【図４０】
0005588421.tif 000041
【図４１】
0005588421.tif 000042
【図４２】
0005588421.tif 000043
【図４３】
0005588421.tif 000044
【図４４】
0005588421.tif 000045
【図４５】
0005588421.tif 000046
【図４６】
0005588421.tif 000047
【図４７】
0005588421.tif 000048
【図４８】
0005588421.tif 000049
【図４９】
0005588421.tif 000050
【図５０】
0005588421.tif 000051
【図５１】
0005588421.tif 000052
【図５２】
0005588421.tif 000053
【図５３】
0005588421.tif 000054
【図５４】
0005588421.tif 000055
【図５５】
0005588421.tif 000056
【図５６】
0005588421.tif 000057
【図５７】
0005588421.tif 000058
【図５８】
0005588421.tif 000059
【図５９】
0005588421.tif 000060
【図６０】
0005588421.tif 000061
【図６１】
0005588421.tif 000062